(57)【要約】【課題】  糸継ぎの際に結び目を形成しないで、しかも混色や端糸の突出をなくし、品質や外観を向上させる。【解決手段】  ２本の各紡績糸１１，１２の先端側１１ａ，１２ａをそれぞれ「Ｊ」字状に折返して、折返し部１１ｂ，１２ｂが相互に結合するように対向させる。先端側１１ａ，１２ａは、折返し部１１ｂ，１２ｂの基端側１１ｃ，１２ｃと絡み合わせて、それぞれ接合する。各紡績糸１１，１２の先端側１１ａ，１２ａは、折返し部１１ｂ，１２ｂの基端側１１ｃ，１２ｃと絡み合って連結され、自分自身への絡みなので、相手の素材を選ばず、確実に糸継ぎを行うことができる。結び目が形成されないので、編糸では編目形成時に抵抗となったり、編針に引っ掛かり、糸切れを起こすおそれをなくすことができる。各糸は、折返し部１１ｂ，１２ｂで相互に結合するので、色が異なっても混色しないで品質や外観を向上させることができる。【選択図】      図１
2006219209.tif 000002
【特許請求の範囲】
【請求項１】
２本の紡績糸の端部同士を継ぐ方法であって、
各紡績糸の端部をそれぞれ折返して、折返し部分が相互に結合するように対向させ、
各紡績糸の先端側を、折返し部分の基端側と絡み合わせて、それぞれ接合することを特徴とする紡績糸の糸継ぎ方法。
【請求項２】
前記２本の紡績糸は、外観が異なることを特徴とする請求項１記載の紡績糸の糸継ぎ方法。
【請求項３】
前記紡績糸の先端側の折返し部分の基端側との絡み合わせは、前記２本の紡績糸に対して同時に行うことを特徴とする請求項１または２記載の紡績糸の糸継ぎ方法。
【請求項４】
請求項１〜３のいずれか１つに記載の紡績糸の糸継ぎ方法で異なる編糸が継がれていることを特徴とする糸継ぎを含む編地。
【発明の詳細な説明】
【技術分野】
【０００１】
本発明は、細い繊維を紡績によって束ねて形成される紡績糸の糸継ぎ方法および糸継ぎを含む編地に関する。
【背景技術】
【０００２】
従来から、天然繊維や合成繊維などを素材として紡績された編糸や織糸として、編地や織地の形成のために広く用いられている。これらの編糸や織糸は、編成や製織の途中で切れてしまうことがあり、修復のための糸継ぎが必要となる。また、編糸で編地を編成する場合、柄の切換わるタイミングに合わせて異なる編糸への糸継ぎも行われる（たとえば、特許文献１参照）。手袋を編成する際に、色の異なる編糸と糸継ぎを行い、色柄編成を行うことも開示されている（たとえば特許文献２参照）。
【０００３】
図４は、従来からの糸継ぎの一般的な方法として、異なる糸の端部同士を結び目を形成して継いでいる状態を示す。すなわち糸１と糸２とは、端部に結び目３を形成して糸継ぎが行われる。各糸１，２の先端１ａ，２ａは、結び目３から突出する。先端１ａ，２ａは、結び目３の形成後に切断して短くすることはできるけれども、全く消失させることは困難である。糸１，２が編地を編成する編糸である場合、結び目３を形成するために、ノッター装置が用いられている。また、結び目３を形成して継ぐ方法は、紡績糸ばかりではなく、ロープなどでも広く行われている。
【０００４】
図５は、結び目を形成しないで糸継ぎを行う方法による糸１，２の接合状態を示す。この糸継ぎ方法は、糸１，２が紡績糸である場合に有効であり、対向する２本の糸１，２の先端側の繊維の撚りがいったん解けてから相互に絡み合い、外観上「Ｉ」字型の継目４が形成される。なお、各糸１，２の先端１ａ，２ａは、解撚された状態で若干残る。この継目４の形成による糸継ぎは、圧縮空気の噴出などによって迅速に行うことができる（たとえば、特許文献３参照）。
【０００５】
図６は、結び目を形成しないで糸継ぎを行う他の方法を示す。この方法も、糸１，２が紡績糸である場合に有効となる。糸１，２は同方向に先端を向けて並べ、先端同士を絡み合わせて包絡部５を形成する（たとえば、特許文献４参照）。この方法による包絡部５は、外観上「Ｔ」字型となり、「Ｔ」字の縦線に相当する部分が、糸１，２による「Ｔ」字の横線に相当する部分の径方向外方に突出する。この包絡部５の先端には、糸１，２の先端１ａ，２ａが解撚された状態で突出する。特許文献２でも、この糸継ぎ方法が用いられている。
【０００６】
【特許文献１】特開平６−２２５０号公報
【特許文献２】特開２００４−１４９９４１号公報
【特許文献３】特開昭６０−３９７６７号公報
【特許文献４】特開２００４−２７４６３号公報
【発明の開示】
【発明が解決しようとする課題】
【０００７】
図４に示すような結び目３を、ノッター装置などで形成しての糸継ぎを編糸に適用すると、結び目３が糸１，２の太さの数倍程度の径となるので、編目形成時に抵抗となったり、編針に引っ掛かり、糸切れを起こすおそれがある。図５に示すような２本の糸１，２が絡み合って形成される継目４では、糸１，２の色が異なる場合、混色が生じ、色境界がはっきりしなくなる。色柄を編成する場合、異なる色の糸１，２を接合した継目４で混色が生じると、意図しない色の部分が生じることとなり、編地の外観を損ってしまう。図６に示すような２本の糸１，２の先端を撚り合わせる方法では、包絡部５の処理が問題となる。包絡部５が編地の外部に突出して見えると、外観を損ってしまう。包絡部５が編地に組込まれた場合、包絡部５と合せて編糸が３本分となる部分が生じてしまう。包絡部５を編地の内部に取込んで隠すことができれば、包絡部５で連結する糸１，２は混色しないで切換り、外観が良好な色柄などを編成することができる。ただし、包絡部５をうまく処理することは困難である。さらに、図５や図６に示す方法では、異なる糸１，２を絡めるので、糸１，２の性質が異なると、組合せを考慮する必要が生じる場合がある。
【０００８】
本発明の目的は、糸継ぎの際に結び目を形成しないで、しかも混色や端糸の突出をなくし、品質や外観を向上させることができる紡績糸の糸継ぎ方法および糸継ぎを含む編地
を提供することである。
【課題を解決するための手段】
【０００９】
本発明は、２本の紡績糸の端部同士を継ぐ方法であって、
各紡績糸の端部をそれぞれ折返して、折返し部分が相互に結合するように対向させ、
各紡績糸の先端側を、折返し部分の基端側と絡み合わせて、それぞれ接合することを特徴とする紡績糸の糸継ぎ方法である。
また本発明で、前記２本の紡績糸は、外観が異なることを特徴とする。
【００１０】
また本発明で、前記紡績糸の先端側の折返し部分の基端側との絡み合わせは、前記２本の紡績糸に対して同時に行うことを特徴とする。
【００１１】
さらに本発明は、前述のいずれか１つに記載の紡績糸の糸継ぎ方法で異なる編糸が継がれていることを特徴とする糸継ぎを含む編地である。
【発明の効果】
【００１２】
本発明によれば、２本の紡績糸の端部同士を接合する際に、各紡績糸の端部をそれぞれ折返して、折返し部分が相互に結合するように対向させるので、各糸の先端は、折返し部分の基端側と絡み合い、自分自身に絡めるため、継ぐ相手に関係なく、確実に糸継ぎを行うことができる。素材の性質や太さが異なる相手であっても、容易に継ぐことができる。結び目が形成されないので、編糸では編目形成時に抵抗となったり、編針に引っ掛かり、糸切れを起こすおそれをなくすことができる。各糸は、折返し部分で相互に結合するので、色が異なっても混色しないで品質や外観を向上させることができる。
【００１３】
また本発明によれば、色、太さ、形状等の外観が異なる２本の紡績糸を、結び目や混色部分を形成しないで継ぐことができる。
また本発明によれば、２本の紡績糸の糸継ぎを、迅速かつ効率的に行うことができる。
【００１４】
さらに本発明によれば、色柄を形成する編地などで、柄の切り換り部分の編成に、結び目および混色の部分が形成されない糸継ぎを行い、品質や外観の向上した編地を編成することができる。
【発明を実施するための最良の形態】
【００１５】
図１は、本発明の実施の一形態で、糸継ぎされる接合部分の形状を示す。糸継ぎ部１０では、２本の紡績糸１１，１２の端部同士を接合する。各紡績糸１１，１２は、先端側１１ａ，１２ａが突合わされるように、相互に逆向きに対向させる。各紡績糸１１，１２の先端側１１ａ，１２ａは、基端側へそれぞれ折返す。紡績糸１１，１２は、折返し部１１ｂ，１２ｂ同士が相互に結合して継がれる。すなわち、紡績糸１１の折返し部１１ｂには紡績糸１２の折返し部１２ｂが貫通し、紡績糸１２の折返し部１２ｂには紡績糸１１の折返し部１１ｂが貫通している。各紡績糸１１，１２の先端側１１ａ，１２ａは解撚され、各折返し部１１ｂ，１２ｂの基端側１１ｃ，１２ｃとそれぞれ絡み合わされて接合される。
【００１６】
すなわち、２本の紡績糸１１，１２の端部である先端側１１ａ，１２ａ同士を接合するために、各紡績糸１１，１２を、先端側１１ａ，１２ａをそれぞれ、いわば「Ｊ」字状に折返して、折返し部１１ｂ，１２ｂが相互に結合するように対向させ、各紡績糸１１，１２の先端側１１ａ，１２ａを、折返し部１１ｂ，１２ｂの基端側１１ｃ，１２ｃと絡み合わせて、それぞれ接合する。各紡績糸１１，１２の先端側１１ａ，１２ａをそれぞれ折返して、折返し部１１ｂ，１２ｂが相互に結合するように対向させるので、端部同士を糸継ぎの対象とすることができる。各紡績糸１１，１２の先端側１１ａ，１２ａを、折返し部１１ｂ，１２ｂの基端側１１ｃ，１２ｃと絡み合わせて、それぞれ接合するので、各紡績糸１１，１２の先端側１１ａ，１２ａは、折返し部１１ｂ，１２ｂの基端側１１ｃ，１２ｃと絡み合って連結され、自分自身との絡み合いで確実に糸継ぎを行うことができる。結び目が形成されないので、編糸では編目形成時に抵抗となったり、編針に引っ掛かり、糸切れを起こすおそれを抑えることができる。各糸は、折返し部１１ｂ，１２ｂで相互に結合するので、色が異なっても混色しないで品質や外観を向上させることができる。先端側１１ａ，１２ａは基端側１１ｃ，１２ｃに絡み合うので、最先端１１ｄ，１２ｄが毛羽になる程度に抑えることができる。
【００１７】
図２は、図１に示す糸継ぎ部１０を形成しながら編成する編地２０を簡略化して示す。編地２０には、インターシャ編成などによって形成される色柄２１，２２，２３が設けられる。このため、編地２０の地柄を編成する編糸と色柄２１，２２，２３を編成する編糸とを切換えて編成する必要がある。このような色柄２１，２２，２３の編成では、色の異なる編糸毎に異なる給糸部材を使用して行うことができる。また、色柄２１，２２，２３で分けられる編地２０の地柄２０ａ，２０ｂも異なる給糸部材を使用する。したがって、色柄２１，２２，２３と編地２０の地柄２０ａ，２０ｂとを編成するために、５つの給糸部材を使用する。
【００１８】
図１に示すような糸継ぎ部１０を形成して編糸を継ぐようにすれば、１つの給糸部材で、複数の編糸を切換えて色柄２１，２２，２３を編成し、色柄２１，２２，２３の境界を糸継ぎ部１０で継ぐことができる。糸継ぎ部１０では、編糸の色が異なるような場合でも、混色なく色を切換えることもできる。
【００１９】
図３は、図１のような糸継ぎ部１０を形成するための概略的な手順を示す。たとえば、図２で編地２０の地柄と色柄２１，２２とを切換える部分で編成されると予想される編糸が供給されるときに、その供給経路で糸継ぎが行われる。編成の予測は、特許文献１に開示されているように、編成データに基づいて編地２０の編成で消費される編糸の長さをループ長などのデータに基づいて算出し、編糸の供給量を計測して行うことができる。糸継ぎが必要になると、ステップｓ０から糸継ぎを開始する。糸継ぎ前に供給している編糸が未だ充分に残っている場合は切断する。切断の際には、尾端の少し先の部分を保持しておく。ステップｓ１では、糸継ぎを行う編糸の先端側を、切断された編糸の尾端に対向させるようにして、２本の紡績糸を対向させる。ステップｓ２では、２本の紡績糸の先端を折返し、折返し部分同士を結合する。この接合には、特許文献２，３，４で開示されているような圧縮空気流で先端を解撚して包絡させる装置と同様な原理の装置を用いることもできる。ただし、両側で接合を行い、装置へのセットの状態は異ならせる必要がある。次のステップｓ３では、先端側と折返し部の基端側とを接合し、ステップｓ４で手順を終了する。
【００２０】
なお、ステップｓ２では２本の紡績糸１１，１２の先端側１１ａ，１２ａの折返しと結合とを同時に行い、ステップｓ３では先端側１１ａ，１２ａの基端側１１ｃ，１２ｃへの接合を同時に行っているけれども、別に行うこともできる。すなわち、一方の糸１１の先端側１１ａを折返し部１１ｂの基端側１１ｃに先に接合しておく。折返し部１１ｂは、輪状になっているので、この輪状の中に他方の糸１２の先端側１２ａを挿入して折返し、折返し部１２ｂを形成するとともに、先端側１２ａを折返し部１２ｂの基端側１２ｃともに接合するようにすればよい。片側ずつ接合するので、特許文献２，３，４で開示されている装置を直接使用することもできる。
【００２１】
また、糸継ぎ部１０を形成して切換える２本の紡績糸１１，１２は、色や他の外観など、外観が異なれば、境界がはっきりする効果を奏することができる。色柄２１，２２，２３を形成する編地２０ばかりではなく、編糸の太さが変化する編地や、編糸の毛羽などが変化する編地を、境界をはっきりさせ、しかも結び目が形成されない糸継ぎを行って、品質や外観の向上させて編成することができる。さらに、編地を編成する場合、編糸の切換えを、使用可能な給糸部材の数などで制限されないので、多くの色を使い分けるなどで、商品価値を高めた編地を編成することもできる。
【図面の簡単な説明】
【００２２】
【図１】本発明の実施の一形態で、糸継ぎされる接合部分の形状を簡略化して示す図である。
【図２】図１に示す糸継ぎ部１０を形成しながら編成する編地２０を簡略化して示す図である。
【図３】図１のような糸継ぎ部１０を形成するための概略的な手順を示す工程図である。
【図４】従来からの糸継ぎの一般的な方法として、異なる糸の端部同士を結び目を形成して継いでいる状態を簡略化して示す図である。
【図５】先行技術による結び目を形成しないで糸継ぎを行う方法での糸１，２の接合状態を簡略化して示す図である。
【図６】先行技術による結び目を形成しないで糸継ぎを行う他の方法を簡略化して示す図である。
【符号の説明】
【００２３】
１０  糸継ぎ部
１１，１２  紡績糸
１１ａ，１２ａ  先端側
２０  編地
２０ａ，２０ｂ  地柄
２１，２２，２３  色柄
【図１】
2006219209.tif 000003
【図２】
2006219209.tif 000004
【図３】
2006219209.tif 000005
【図４】
2006219209.tif 000006
【図５】
2006219209.tif 000007
【図６】
2006219209.tif 000008